(57)【特許請求の範囲】
【請求項１】
筐体とその筐体に配設されるスピーカーとを有し前記スピーカーが電池駆動可能に構成された音響機器の前記筐体に電池を収納する音響機器の電池収納構造において、
前記音響機器は、一面が開口すると共に前記筐体に配設される箱状のケース格納部と、一面が開口すると共に前記ケース格納部と同方向に開口側を向けつつ前記ケース格納部に格納される箱状の電池ケースと、その電池ケース及び前記ケース格納部を連結する少なくとも１つの連結部とを備え、
前記ケース格納部の内底面および前記電池ケースの外底面の間と前記ケース格納部の内側面および前記電池ケースの外側面の間とには、所定間隔の隙間が形成されていることを特徴とする音響機器の電池収納構造。
【請求項２】
前記連結部は、前記ケース格納部の内底面または前記電池ケースの外底面のいずれか一方の面から凸設される凸設部と、前記ケース格納部の内底面または前記電池ケースの外底面のいずれか他方の面に前記凸設部の凸設方向に沿って凹設されると共に前記他方の面からの凹設深さが前記一方の面からの前記凸設部の凸設高さよりも小さく形成される凹設部とを備え、
前記凸設部の凸設先端が前記凹設部の凹設基部に連結されていることを特徴とする請求項１記載の音響機器の電池収納構造。
【請求項３】
前記凸設部の凸設先端または前記凹設部の凹設基部のいずれか一方は、前記凸設部の凸設先端または前記凹設部の凹設基部のいずれか他方へ突出する突出部を備え、
前記電池ケースが前記ケース格納部に格納されている状態において、前記凸設部の凸設先端または前記凹設部の凹設基部のいずれか他方に当接される前記突出部の先端面の面積が、前記凸設部の凸設先端または前記凹設部の凹設基部のいずれか一方の面積よりも小さいことを特徴とする請求項２記載の音響機器の電池収納構造。
【請求項４】
前記凸設部の外側面と前記凹設部の内側面との間には、所定間隔の隙間が形成されていることを特徴とする請求項２又は３に記載の音響機器の電池収納構造。
【請求項５】
前記凸設部は、前記凸設部の外側面から突出すると共に前記凸設部の凸設方向に沿って延設される突条状のリブを備えていることを特徴とする請求項４記載の音響機器の電池収納構造。
【発明の詳細な説明】
【技術分野】
【０００１】
本発明は、音響機器の電池収納構造に関し、特に、振動による騒音を低減できると共に、電池と端子との接触不良、電池の短絡および液漏れの発生を防止できる音響機器の電池収納構造に関するものである。
【背景技術】
【０００２】
従来より、スピーカーを備える音響機器やオーディオ機器等が多数開発されている。例えば、特開２００５−１１６２３７には、筐体の内部にスピーカーが収納されると共に、筐体の一部分を構成するリヤキャビネットに電池を収容するための電池収納部が形成されたラジオ受信機が開示されている。
【先行技術文献】
【特許文献】
【０００３】
【特許文献１】特開２００５−１１６２３７（段落[００２５],[００２６]など）
【発明の開示】
【発明が解決しようとする課題】
【０００４】
しかしながら、上述した従来のラジオ受信機は、筐体の内部にスピーカーが収納されているので、スピーカーから出力される楽音が特定の周波数になると、筐体の共振が発生する。特に、スピーカーを備えるアンプ等の製品では、スピーカーから出力される楽音が比較的大きいので、その分、共振による振動も大きくなる。これにより、スピーカーからの楽音を聴く際に、共振による騒音が耳触りになるという問題点があった。また、筐体が共振することにより、電池収納部に収容された電池も大きく振動するため、電池および筐体内部の回路を電気的に接続する端子と電池との接触不良や短絡、電池の液漏れ等が発生するという問題点があった。
【０００５】
本発明は、上述した問題点を解決するためになされたものであり、振動による騒音を低減できると共に、電池と端子との接触不良、電池の短絡および液漏れの発生を防止できる音響機器の電池収納構造を提供することを目的としている。
【課題を解決するための手段】
【０００６】
この目的を達成するために、請求項１記載の音響機器の電池収納構造は、筐体とその筐体に配設されるスピーカーとを有し前記スピーカーが電池駆動可能に構成された音響機器の前記筐体に電池を収納するものであって、前記音響機器は、一面が開口すると共に前記筐体に配設される箱状のケース格納部と、一面が開口すると共に前記ケース格納部と同方向に開口側を向けつつ前記ケース格納部に格納される箱状の電池ケースと、その電池ケース及び前記ケース格納部を連結する少なくとも１つの連結部とを備え、前記ケース格納部の内底面および前記電池ケースの外底面の間と前記ケース格納部の内側面および前記電池ケースの外側面の間とには、所定間隔の隙間が形成されている。
【０００７】
請求項２記載の音響機器の電池収納構造は、請求項１記載の音響機器の電池収納構造において、前記連結部は、前記ケース格納部の内底面または前記電池ケースの外底面のいずれか一方の面から凸設される凸設部と、前記ケース格納部の内底面または前記電池ケースの外底面のいずれか他方の面に前記凸設部の凸設方向に沿って凹設されると共に前記他方の面からの凹設深さが前記一方の面からの前記凸設部の凸設高さよりも小さく形成される凹設部とを備え、前記凸設部の凸設先端が前記凹設部の凹設基部に連結されている。
【０００８】
請求項３記載の音響機器の電池収納構造は、請求項２記載の音響機器の電池収納構造において、前記凸設部の凸設先端または前記凹設部の凹設基部のいずれか一方は、前記凸設部の凸設先端または前記凹設部の凹設基部のいずれか他方へ突出する突出部を備え、前記電池ケースが前記ケース格納部に格納されている状態において、前記凸設部の凸設先端または前記凹設部の凹設基部のいずれか他方に当接される前記突出部の先端面の面積が、前記凸設部の凸設先端または前記凹設部の凹設基部のいずれか一方の面積よりも小さい。
【０００９】
請求項４記載の音響機器の電池収納構造は、請求項２又は３に記載の音響機器の電池収納構造において、前記凸設部の外側面と前記凹設部の内側面との間には、所定間隔の隙間が形成されている。
【００１０】
請求項５記載の音響機器の電池収納構造は、請求項４記載の音響機器の電池収納構造において、前記凸設部は、前記凸設部の外側面から突出すると共に前記凸設部の凸設方向に沿って延設される突条状のリブを備えている。
【００１１】
【００１２】
【００１３】
【００１４】
【００１５】
【００１６】
【００１７】
【００１８】
【発明の効果】
【００１９】
請求項１記載の音響機器の電池収納構造によれば、音響機器は、一面が開口すると共に筐体に配設される箱状のケース格納部と、一面が開口すると共にケース格納部と同方向に開口側を向けつつケース格納部に格納される箱状の電池ケースと、その電池ケース及びケース格納部を連結する少なくとも１つの連結部とを備え、ケース格納部の内底面および電池ケースの外底面の間とケース格納部の内側面および電池ケースの外側面の間とには、所定間隔の隙間が形成されているので、スピーカーから出力される楽音により筐体が共振した場合であっても、筐体の共振に伴うケース格納部の振動が電池ケースへ伝達されることを抑制することができる。
【００２０】
即ち、電池ケースは、連結部を介してケース格納部に連結されているので、筐体が共振した際に、筐体に配設されたケース格納部の振動がケース格納部の内底面および内側面から、直接、電池ケースの外底面および外側面へ伝達されることを回避できるので、その分、筐体の共振に伴う電池ケースの振動を抑制することができる。よって、電池ケースの振動により発生する騒音を低減させることができるという効果がある。その結果、スピーカーからの楽音を聴く際に、筐体の共振による騒音が耳触りになることを防止できる。さらに、電池ケースの振動を抑制することで、電池ケースに収納される電池とその電池の正端子または負端子と接触する導電性の端子との接触不良、短絡および電池の液漏れが発生することを抑制できるという効果がある。
【００２１】
請求項２記載の音響機器の電池収納構造によれば、請求項１記載の音響機器の電池収納構造の奏する効果に加え、連結部は、ケース格納部の内底面または電池ケースの外底面のいずれか一方の面から凸設される凸設部と、ケース格納部の内底面または電池ケースの外底面のいずれか他方の面に凸設部の凸設方向に沿って凹設される凹設部とを備えると共に、凸設部の凸設先端が凹設部の凹設基部に連結されているので、凸設部を凹設部に緩挿させつつ電池ケースをケース格納部に格納することができる。このとき、凹設部は凸設部に案内されるので、電池ケースをケース格納部の適切な位置に配置することができるという効果がある。
【００２２】
また、凹設部は、他方の面からの凹設深さが一方の面からの凸設部の凸設高さよりも小さく形成されているので、凸設部の凸設先端と凹設部の凹設基部とが連結された状態において、ケース格納部の内底面と電池ケースの外底面との間に所定間隔の隙間を形成することができる。よって、ケース格納部の振動がケース格納部の内底面から電池ケースの外底面へ伝達されることを抑制できるという効果がある。また、その結果として、電池ケースの振動により発生する騒音を低減させることができると共に、電池と端子との接触不良、短絡および電池の液漏れの発生を抑制することができる。
【００２３】
請求項３記載の音響機器の電池収納構造によれば、請求項２記載の音響機器の電池収納構造の奏する効果に加え、凸設部の凸設先端または凹設部の凹設基部のいずれか一方は、凸設部の凸設先端または凹設部の凹設基部のいずれか他方へ突出する突出部を備えているので、凸設部と凹設部とを連結させる際に、凸設部の凸設先端または凹設部の凹設基部のいずれか他方に突出部を当接させることができる。また、電池ケースがケース格納部に格納されている状態において、凸設部の凸設先端または凹設部の凹設基部のいずれか他方に当接される突出部の先端面の面積が、凸設部の凸設先端または凹設部の凹設基部のいずれか一方の面積よりも小さいので、凸設部の凸設先端と凹設部の凹設基部とを当接させる場合と比べ、凸設部と凹設部との接触面積を小さくすることができる。よって、ケース格納部の振動が電池ケースへ伝達されることをより確実に抑制することができるという効果がある。また、その結果として、電池ケースの振動により発生する騒音を低減させることができると共に、電池と端子との接触不良、短絡および電池の液漏れの発生を抑制することができる。
【００２４】
請求項４記載の音響機器の電池収納構造によれば、請求項２又は３に記載の音響機器の電池収納構造の奏する効果に加え、凸設部の外側面と凹設部の内側面との間には、所定間隔の隙間が形成されているので、ケース格納部の振動が、凸設部の外側面または凹設部の内側面のいずれか一方から凸設部の外側面から凹設部の内側面のいずれか他方へ伝達されることを抑制できるという効果がある。また、その結果として、電池ケースの振動により発生する騒音を低減させることができると共に、電池と端子との接触不良、短絡および電池の液漏れの発生を抑制することができる。
【００２５】
請求項５記載の音響機器の電池収納構造によれば、請求項４記載の音響機器の電池収納構造の奏する効果に加え、凸設部は、凸設部の外側面から突出する突条状のリブを備えているので、ケース格納部または電池ケースの振動により凸設部と凹設部とが接触する場合に、リブと凹設部の内側面とを接触させることができる。即ち、凸設部の外側面と凹設部の内側面とが接触する場合と比べ、凸設部と凹設部とが接触する際の接触面積を小さくすることができるので、ケース格納部から電池ケースへ伝達される振動を低減させることができるという効果がある。また、その結果として、電池ケースの振動により発生する騒音を低減することができると共に、電池と端子との接触不良や短絡、電池の液漏れの発生を抑制することができる。
【００２６】
その一方で、リブが凸設部の凸設方向に沿って延設されているので、凹設部に凸設部を緩挿させつつ電池ケースをケース格納部に格納する際に、凹設部が凸設部に案内されるという効果が、リブによって阻害されることを回避できる。よって、凸設部は、リブが形成されていても、凹設部を円滑に案内することができるという効果がある。
【００２７】
【００２８】
【００２９】
【００３０】
【００３１】
【００３２】
【００３３】
【００３４】
【００３５】
【００３６】
【図面の簡単な説明】
【００３７】
【図１】（ａ）は、本発明の第１実施の形態におけるスピーカー内蔵アンプの正面斜視図であり、（ｂ）は、スピーカー内蔵アンプの背面斜視図である。
【図２】スピーカー内蔵アンプにおける電池収納構造の分解斜視図である。
【図３】（ａ）は、ケース格納部の上面図であり、（ｂ）は、ケース格納部の底面図である。
【図４】図３（ａ）のＩＶ―ＩＶ線におけるケース格納部の断面図である。
【図５】（ａ）は、電池ケースの上面図であり、（ｂ）は、電池ケースの側面図である。
【図６】図５（ａ）のＶＩ―ＶＩ線における電池ケースの断面図である。
【図７】蓋部の分解斜視図である。
【図８】（ａ）は、蓋部の裏面図であり、（ｂ）のＶＩＩＩｂ−ＶＩＩＩｂ線における蓋部の断面図である。
【図９】スピーカー内蔵アンプの電池収納構造の上面図である。
【図１０】図９のＸ−Ｘ線におけるスピーカー内蔵アンプの電池収納構造の断面図である。
【図１１】図９のＸＩ−ＸＩ線におけるスピーカー内蔵アンプの電池収納構造の断面図である。
【図１２】第２実施の形態におけるスピーカー内蔵アンプの電池収納構造の分解斜視図である。
【図１３】（ａ）は、電池が収納された状態におけるスピーカー内蔵アンプの電池収納構造の上面図であり、（ｂ）は、図１３（ａ）のＸＩＩＩｂ−ＸＩＩＩｂ線におけるスピーカー内蔵アンプの電池収納構造の分解斜視図である。
【図１４】（ａ）は、変形例におけるスピーカー内蔵アンプの背面斜視図であり、（ｂ）は、スピーカー内蔵アンプの電気的ブロック図である。
【発明を実施するための形態】
【００３８】
以下、本発明の好ましい実施形態について、添付図面を参照して説明する。まず、図１及び図２を参照して、本発明の第１実施の形態におけるスピーカー内蔵アンプ１の電池収納構造について説明する。図１（ａ）は、本発明の第１実施の形態におけるスピーカー内蔵アンプ１の正面斜視図であり、図１（ｂ）は、スピーカー内蔵アンプ１の背面斜視図である。図２は、スピーカー内蔵アンプ１における電池収納構造の分解斜視図である。なお、図２では、後述する格納端子板２６ａ，２６ｂ及びケース端子板３６の図示を省略している。
【００３９】
図１（ａ）及び図１（ｂ）に示すように、スピーカー内蔵アンプ１は、楽器やマイク等の音源から入力された信号をアンプ（図示せず）により増幅し、増幅された信号をスピーカー（図示せず）により楽音として出力する音響機器であり、電池駆動可能に構成されている。
【００４０】
図２に示すように、スピーカー内蔵アンプ１（図１（ｂ）参照）は、アンプ及びスピーカーが内部に配設される箱状の筐体１０（図１（ｂ）参照）と、その筐体１０に取着されると共に一面が開口する箱状のケース格納部２０と、そのケース格納部２０と同方向に開口側を向けつつケース格納部２０に格納されると共に一面が開口する箱状の電池ケース３０と、その電池ケース３０の一面を閉塞する蓋部４０と、電池ケース３０をケース格納部２０に着脱自在に締付固定する第１螺子部材５１と、蓋部４０を電池ケース３０に着脱自在に締付固定する第２螺子部材５２とを備えている。なお、電池ケース３０の寸法は、電池ケース３０がケース格納部２０に格納された状態において、ケース格納部２０の内側面と電池ケース３０の外側面との間に、所定間隔の隙間Ｓ１（図９参照）が形成されているように設定されている。
【００４１】
第１螺子部材５１及び第２螺子部材５２は、外周面におねじが螺刻された棒状のおねじ部５１ａ，５２ａと、そのおねじ部５１ａ，５２ａの一端側に配設される頭部５１ｂ，５２ｂとをそれぞれ備えている。頭部５１ｂ，５２ｂは、所定の厚みを有している。使用者は、頭部５１ｂ，５２ｂの外側面を指で挟持しつつ、電池ケース３０の一面側から第１螺子部材５１又は第２螺子部材５２の取付け又は取外しを行うことができる。よって、第１螺子５１及び第２螺子５２の仮締め及び取外しを効率的に行うことができる。なお、使用者は、頭部５１ｂ，５２ｂに、ドライバー等の工具により、第１螺子部材５１又は第２螺子部材５２の本締め又は取外しを行う。これにより、第１螺子部材５１又は第２螺子部材５２をより強固に締付固定することができる。但し、使用者の指により第１螺子部材５１及び第２螺子部材５２の本締め又は取外しを行ってもよい。
【００４２】
次に、図３及び図４を参照して、ケース格納部２０の詳細構成について説明する。図３（ａ）は、ケース格納部２０の上面図であり、図３（ｂ）は、ケース格納部２０の底面図である。図４は、図３（ａ）のＩＶ−ＩＶ線におけるケース格納部２０の断面図である。
【００４３】
図３（ａ）に示すように、ケース格納部２０は、電池ケース３０を格納するための部材であり、上述のように、一面（図３（ａ）手前側）が開口する箱状に形成され、ケース格納部２０の底を形成する矩形状の格納底板２１と、その格納底板２１の縁端に立設される４つの格納側壁２２とにより構成されている。また、ケース格納部２０には、ケース格納部２０の開口を形成する格納側壁２２の端部から、格納側壁２２の外側面側へ延設される延設部２３が形成されている。また、延設部２３には、ケース格納部２０を筐体１０（図１（ｂ）参照）にねじ止めするためのねじ孔２３ａが複数箇所に穿設されている。
【００４４】
４つの格納側壁２２のうち、格納底板２１の幅方向（図３（ａ）上下方向）両側の縁端に立設される２つの第１格納側壁２２ａは、第１格納側壁２２ａの内側面に凹設される第１凹部２２ａ１と、第１格納側壁２２ａの内側面に凹設されると共に第１格納側壁２２ａの内側面からの凹設深さが第１凹部２２ａ１の内側面からの凹設深さよりも小さい複数の溝部２２ａ２とを備えている。また、４つの格納側壁２２のうち、格納底板２１の長手方向（図３（ａ）左右方向）両側の縁端に立設される２つの第２格納側壁２２ｂの一方（図３（ａ）左側）は、その一方の第２格納側壁２２ｂの内側面に凹設される第２凹部２２ｂ１を備えている。また、第１凹部２２ａ１、溝部２２ａ２及び第２凹部２２ｂ１は、格納底板２１と格納側壁２２との連設部分からケース格納部２０の一面側まで延設されている（図４参照）。
【００４５】
図３（ａ）及び図３（ｂ）に示すように、格納底板２１は、格納底板２１の長手方向両側に配設される凸設部２４と、格納底板２１の長手方向一側（図３（ａ）右側）に穿設されると共に格納底板２１の幅方向（図３（ａ）上下方向）に並設される２つの格納端子孔２５ａ，２５ｂと、格納端子孔２５ａ，２５ｂに貫設される格納端子板２６ａ，２６ｂと、格納端子孔２５ａ，２５ｂを閉塞すると共にケース格納部２０と筐体１０（図１（ｂ）参照）の内部との間で空気が流通することを制限するスポンジ状の閉塞部材２７とを備えている。
【００４６】
図４に示すように、凸設部２４は、格納底板２１の内底面から、ケース格納部２０の一面側（図４上側）へ凸設される中空円錐台形状の部位であり、第１螺子部材５１（図２参照）が螺合されるめねじが螺刻された第１ナット部材２８が内嵌されている。また、凸設部２４を中空に形成することにより、ケース格納部２０の板厚の変化を回避することができるので、ケース格納部２０を成形する際の成形不良を防止できる。
【００４７】
また、凸設部２４は、凸設部２４の凸設先端の先端面周縁部分から凸設部２４の凸設方向（図４上側）へ突出すると共に凸設部２４の凸設先端の先端面側（図３（ａ）手前側）から視て円環状に形成される突出部２４ａと、凸設部２４の外側面から突出すると共に凸設部２４の凸設方向に沿って延設される突条状のリブ２４ｂとを備えている。なお、突出部２４ａの先端面の面積は、凸設部２４の凸設先端の先端面の面積よりも小さく形成されている。また、本実施の形態では、凸設部２４には、リブ２４ｂが４つ形成されている。
【００４８】
格納端子板２６ａ，２６ｂは、スピーカー内蔵アンプ１（図１（ｂ）参照）内部の電気回路と電池ケース３０（図２参照）に収納された電池２（図１１参照）とを電気的に接続するための部材である。格納端子板２６ａ，２６ｂは、格納端子板２６ａ，２６ｂの一側（図４右側）を構成すると共に正面視において略Ｖ字状に屈曲した屈曲板２６ａ１，２６ｂ１と、格納端子板２６ａ，２６ｂの他側（図４左側）を構成する平面状の平面板２６ａ２，２６ｂ２とを備えている。格納端子板２６ａ，２６ｂは、屈曲板２６ａ１，２６ｂ１が、格納端子孔２５ａ，２５ｂに貫設されつつ屈曲突端が格納底板２１の内底面から突出すると共に、平面板２６ａ２，２６ｂ２が、格納底板２１の外底面にねじ止めされている。
【００４９】
次に、図５及び図６を参照して、電池ケース３０の詳細構成について説明する。図５（ａ）は、ケース格納部３０の上面図であり、図５（ｂ）は、ケース格納部３０の側面図である。図６は、図５（ａ）のＶＩ−ＶＩ線におけるケース格納部３０の断面図である。
【００５０】
図５（ａ）に示すように、電池ケース３０は、電池２（図１１参照）を収納するための部材である。電池ケース３０は、上述のように、一面（図５（ａ）手前側）が開口する箱状に形成され、電池ケース３０の底を形成する矩形状のケース底板３１と、そのケース底板３１の幅方向（図５（ａ）上下方向）両側の縁端に立設される２つのケース側壁３２と、ケース底板３１の長手方向一側（図５（ａ）右側）の縁端に連設される第１固定部３３と、ケース底板３１の長手方向他側（図５（ａ）左側）の縁端に連設される第２固定部３４とにより構成されている。また、ケース底板３１と第１固定部３３との連設部分には、後述する係合爪部４１（図８（ａ）参照）が係合される蓋係止部３０ａが形成されている。
【００５１】
図５（ａ）及び図５（ｂ）に示すように、電池ケース３０は、ケース底板３１及びケース底板３１の長手方向（図５（ａ）左右方向）に沿ってケース底板３１に立設される３本の仕切り板３１ａ及びケース底板３１の幅方向(図５（ａ）上下方向)の略中央部分でケース底板３１に立設される仕切り壁３１ｂにより電池２が収納可能に形成される８つの電池室３５と、電池室３５に電池２が収納された状態において電池２の正端子または負端子と接触するケース端子板３６と、ケース底板３１及びケース側壁３２に穿設されるケース放熱孔３７とを備えている。なお、ケース放熱孔３７は、電池２の形状を模して形成され、電池２を電池室３５に格納する際における電池２の向きを示している。
【００５２】
ケース底板３１のうち、電池ケース３０の長手方向一側（図５（ａ）右側）、かつ、電池ケース３０の幅方向一端側および他端側（図５（ａ）上端側および下端側）に形成される電池室３５である接続電池室３５ａ，３５ｂを構成する部分には、平面視略矩形状のケース端子孔３８ａ，３８ｂが穿設されている。
【００５３】
第１固定部３３は、ケース側壁３２よりも蓋部４０（図２参照）の板厚の分だけ高さ方向（図５（ｂ）上方向）に突出して形成されている。第２固定部３４は、電池ケース３０の幅方向（図５（ａ）上下方向）両側に内嵌されると共に第２螺子部材５２（図２参照）に螺合されるめねじが螺刻された第２ナット部材３４ａと，電池ケース３０の長手方向一方側（図５（ｂ）左側）から突出すると共にケース側壁３２よりも蓋部４０の板厚の分だけ高さ方向に突出したケース突起部３４ｂとを備えている。即ち、第１固定部３３及びケース突起部３４ｂは、同等の高さに構成されている。
【００５４】
図６に示すように、第１固定部３３及びケース突起部３４ｂは、第１固定部３３及びケース突起部３４ｂの外底面に、電池ケース３０の一面側（図６上側）へ凹設された凹設部３９をそれぞれ備えている。また、凹設部３９は、各凹設部３９の凹設基部から第１固定部３３の一側（図６上側）又はケース突起部３４ｂの一側（図６上側）にかけて穿設されると共に第１螺子部材５１のおねじ部５１ａ（図２参照）が挿入可能なケース挿入孔３９ａを備えている。
【００５５】
凹設部３９の寸法は、凹設部３９に凸設部２４（図４参照）が緩挿された状態において、凸設部２４の外側面に形成されるリブ２４ｂ（図４参照）と凹設部３９の内側面との間に、所定間隔の隙間Ｓ３（図１０参照）が形成される大きさに設定されている。また、凹設部３９は、第１固定部３３の外底面又はケース突起部３４ｂの外底面からの凹設深さが、格納底板２１（図４参照）の内底面からの、凸設部２４の凸設高さよりも小さく形成されている。さらに、第１固定部３３の外底面又はケース突起部３４ｂの外底面からの、凹設部３９の凹設深さと、格納底板２１の内底面からの、凸設部２４の凸設高さとの差は、格納底板２１の内底面からの、屈曲板２６ａ１，２６ｂ１（図４参照）の突出高さよりも小さく形成されている。
【００５６】
ケース端子板３６は、電池２とスピーカー内蔵アンプ１（図１（ｂ）参照）とをケース格納部２０（図２参照）を介して電気的に接続するための部材であり、電池室３５の長手方向（図６（ａ）左右方向）両端側に配設されている。また、ケース端子板３６のうち、接続電池室３５ａ，３５ｂの一端側（図６右端側）に配設される接続ケース端子板３６ａ，３６ｂは、ケース端子孔３８ａ，３８ｂを閉塞しつつ、ケース底板３１の外底面に固定されている。
【００５７】
なお、ケース端子孔３８ａ，３８ｂは、電池ケース３０がケース格納部２０に格納された状態において、格納端子孔２５ａ，２５ｂ（図３（ａ）参照）と対向する位置に形成されている。また、電池ケース３０には、全ての電池室３５に電池２が収容されることにより、全ての電池２と全てのケース端子板３６とが電気的に接続されるようにケース端子板３６が配設されている。
【００５８】
次に、図７及び図８を参照して、蓋部４０の詳細構成について説明する。図７は、蓋部４０の分解斜視図である。図８（ａ）は、蓋部４０の裏面図であり、図８（ｂ）は、図７のＶＩＩＩｂ−ＶＩＩＩｂ線における蓋部４０の断面図である。
【００５９】
図７に示すように、蓋部４０は、電池ケース３０（図２参照）に格納された電池２（図１１参照）が、電池ケース３０から脱落することを防止する板状の部材である。蓋部４０は、ＡＢＳ樹脂等の樹脂材料から構成される本体部４０ａと、エラストマー等の弾性材料から構成される弾性部４０ｂとにより構成され、本体部４０ａに弾性部４０ｂが接合されることにより一体に構成されている。
【００６０】
図８（ａ）及び図８（ｂ）に示すように、蓋部４０は、本体部４０ａの長手方向一側（図８（ａ）右側）の端部から外方（図８（ａ）右方向）へ突出する係合爪部４１と、本体部４０ａ及び弾性部４０ｂの長手方向他側（図８（ｂ）左側）に穿設されると共に第２螺子部材５２のおねじ部５２ａ（図２参照）が挿入可能な蓋挿入孔４２と、弾性部４０ｂに形成されると共に弾性部４０ｂが接合される側（図８（ａ）上側）から突出する蓋突起部４３と、本体部４０ａ及び弾性部４０ｂに穿設される蓋放熱孔４４とを備えている。
【００６１】
弾性部４０ｂの厚さ方向（図８（ｂ）上下方向）の寸法は、弾性部４０ｂが接合される側を電池ケース３０（図６参照）に対向させつつ蓋部４０により電池ケース３０の一面側（図６上側）が閉塞された状態において、弾性部４０ｂと電池２とが互いに当接される厚みに設定されている。さらに、弾性部４０ｂと本体部４０ａとが接合される面の反対側（図８（ｂ）上側）の底面からの、蓋突起部４３の突出高さは、弾性部４０ｂが接合される側を電池ケース３０に対向させつつ電池ケース３０の一面側（図６上側）を蓋部４０で閉塞した状態において、蓋突起部４３とケース端子板３６（図６参照）とが互いに当接される高さに位置している。
【００６２】
次に、図９から図１１を参照して、スピーカー内蔵アンプ１（図１（ｂ）参照）の電池収納構造の使用状態について説明する。図９は、スピーカー内蔵アンプ１の電池収納構造の上面図である。図１０は、図９のＸ−Ｘ線におけるスピーカー内蔵アンプ１の電池収納構造の断面図である。図１１は、図９のＸＩ−ＸＩ線におけるスピーカー内蔵アンプ１の電池収納構造の断面図である。なお、図９から図１１では、筐体１０の図示を省略している。
【００６３】
図９に示すように、ケース格納部２０は、延設部２３に形成された８つのねじ孔２３ａ（図３（ａ）参照）をねじ止めすることにより、筐体１０に装着される（図１（ｂ）参照）。
【００６４】
電池ケース３０には、電池ケース３０の長手方向一方側（図９左側）からケース突起部３４ｂが突出すると共に、ケース格納部２０には、長手方向一方側（図９左側）の第２格納側壁２２ｂに第２凹部２２ｂ１が凹設されている。よって、電池ケース３０のケース突起部３４ｂが形成される側を一の方向（図９左側）に向けることにより、電池ケース３０をケース格納部２０に格納することができるので、電池ケース３０が誤った方向に向けられた状態でケース格納部２０に格納されることを防止できる。
【００６５】
また、ケース格納部２０には、２つの格納側壁２２ａのそれぞれに第１凹部２２ａ１が凹設されているので、電池ケース３０をケース格納部２０に着脱する際、第１凹部２２ａ１に指を挿入しつつ電池ケース３０を着脱することができる。よって、電池ケース３０をケース格納部２０に着脱する作業を効率よく行うことができる。
【００６６】
ここで、筐体１０の内部に配設されるスピーカーから出力される楽音が特定の周波数になると、筐体１０の共振が発生する。ケース格納部２０は筐体１０にねじ止めされているので、筐体１０が共振することにより、ケース格納部２０も振動する。
【００６７】
これに対し、上述のように、電池ケース３０がケース格納部２０に格納された状態において、ケース格納部２０の内側面と電池ケース３０の外側面との間、即ち、格納側壁２２の内側面とケース側壁３２、第１固定部３３、第２固定部３４及びケース突起部３４ｂの外側面との間には、所定間隔の隙間Ｓ１が形成されている。よって、筐体１０の共振によりケース格納部２０が振動した場合であっても、ケース格納部２０の振動が、格納側壁２２の内側面からケース側壁３２、第１固定部３３、第２固定部３４及びケース突起部３４ｂの外側面へ伝達されることを回避できる。
【００６８】
図１０に示すように、電池ケース３０をケース格納部２０に格納するには、電池ケース３０の長手方向両側（図１０左側および右側）に形成された凹設部３９を、ケース格納部２０の第１固定部３３及びケース突起部３４ｂに形成された凸設部２４に緩挿させる。これにより、凹設部３９は凸設部２４に案内されるので、電池ケース３０をケース格納部２０の適切な位置に配置することができる。
【００６９】
電池ケース３０がケース格納部２０に格納された後、第１螺子部材５１のおねじ部５１ａを、凹設部３９に穿設されたケース挿入孔３９ａに挿入させつつ、凸設部２４に内嵌された第１ナット部材２８に螺入させる。これにより、電池ケース３０をケース格納部２０に着脱自在に装着することができる。
【００７０】
よって、例えば、アンプ内蔵スピーカー１を電池２で駆動させている最中に電池２が消耗した場合に、ケース格納部２０に装着されている電池ケース３０と、予め電池２が収納された予備の電池ケース３０とを、電池ケース３０ごと交換することができる。よって、複数の電池２を一つずつ取り替えるよりも、電池２を交換する作業を効率的に行うことができるので、電池２でアンプ内蔵スピーカー１を駆動させている最中に電池交換をする必要がある場合でも、アンプ内蔵スピーカー１の電源が切れている時間を短縮することができる。
【００７１】
また、電池ケース３０がケース格納部２０に着脱自在に装着されているので、アンプ内蔵スピーカー１をＡＣ電源で駆動させる際に、電池ケース３０を取り外しておくことで、電池ケース３０の振動による騒音の発生を回避することができる。
【００７２】
凹設部３９は、第１固定部３３の外底面またはケース突起部３４ｂの外底面からの凹設深さが、格納底板２１の内底面からの、凸設部２４の凸設高さよりも小さく形成されているので、電池ケース３０がケース格納部２０に格納された状態において、ケース格納部２０の内底面と電池ケース３０の外底面との間、即ち、格納底板２１の内底面とケース底板３１の外底面との間には、所定間隔の隙間Ｓ２が形成される。よって、筐体１０の共振に伴うケース格納部２０の振動が、格納底板２１の内底面からケース底板３１の外底面へ伝達されることを回避できる。
【００７３】
さらに、凸設部２４には、凸設部２４の凸設先端の先端面から突出する突出部２４ａが形成されているので、凹設部３９が凸設部２４に格納されると、突出部２４ａの先端面を凹設部３９の凹設基部に当接させることができる。よって、凸設部２４の凸設先端の先端面全体が凹設部３９の凹設基部に当接される場合と比べ、凸設部２４と凹設部３９との接触面積を小さくすることができるので、ケース格納部２０の振動が電池ケース３０へ伝達されることを確実に抑制することができる。
【００７４】
また、電池ケース３０がケース格納部２０に格納されると、凸設部２４の外側面に形成されるリブ２４ｂと凹設部３９の内側面との間に所定間隔の隙間Ｓ３が形成される。よって、ケース格納部２０の振動が、凸設部２４の外側面から凹設部３９の内側面へ伝達されることを抑制できる。特に、凸設部２４の外側面には４つのリブ２４ｂが形成されているので（図４参照）、ケース格納部２０又は電池ケース３０の振動により凸設部２４と凹設部３９とが接触した場合に、リブ２４ｂを凹設部３９の内側面に接触させることができる。
【００７５】
従って、凸設部２４の外側面と凹設部３９の内側面とが接触する場合と比べ、凸設部２４と凹設部３９とが接触する際の接触面積を小さくすることができるので、ケース格納部２０から電池ケース３０へ伝達される振動を低減させることができる。一方、リブ２４ｂは、凸設部２４の凸設方向（図１０上下方向）に沿って延設されているので（図４参照）、凹設部３９が凸設部２４に案内されるという効果がリブ２４ｂによって阻害されることを防止できる。
【００７６】
また、上述のように、電池ケース３０は、第１螺子部材５１に締付固定されるので、凸設部２４と凹設部３９との接触面積を小さくしつつ、凸設部２４と凹設部３９とを確実に固定することができる。よって、ケース格納部２０の振動に伴う電池ケース３０の振動を抑制することができる。
【００７７】
このように、筐体１０の共振によるケース格納部２０の振動が電池ケース３０へ伝達されることを抑制することができるので、電池ケース３０の振動により発生する騒音を低減させることができる。これにより、スピーカーからの楽音を聴く際に、筐体１０の共振による騒音が耳触りになることを防止できる。さらに、電池ケース３０の振動を抑制することで、電池ケース３０に収納される電池２とケース端子板３６（図１１参照）との接触不良、短絡および電池２の液漏れが発生することを抑制できる。
【００７８】
図１１に示すように、電池２が収納される電池室３５には、複数のケース放熱孔３７が形成されると共に、蓋部４０には、蓋放熱孔４４が形成されている。よって、スピーカー内蔵アンプ１（図１参照）を電池駆動させる際に、電池２から発生する熱を、ケース放熱孔３７及び蓋放熱孔４４を介して、電池ケース３０の外部へ放出することができる。また、電池ケース３０がケース格納部２０に格納された状態において、各ケース放熱孔３７と対向する位置には、格納底板２１及び格納側壁２２が配置されている。これにより、ケース放熱孔３７と筐体１０（図１（ｂ）参照）の内部との間が格納底板２１及び格納側壁２２により遮断されるので、電池ケース３０から放出された熱が、筐体１０の内部へ侵入することを防止しつつ、ケース格納部２０と電池ケース３０との間に形成された隙間Ｓ１，Ｓ２により、電池ケース３０から放出された熱を筐体１０の外部へ排出することができる。
【００７９】
さらに、第１格納側壁２２ａには、第１凹部２２ａ１及び溝部２２ａ２が形成されているので、第１格納側壁２２ａの内側面とケース側壁３２との外側面との間に形成される隙間Ｓ１をより広く確保して、電池ケース３０から放出された熱を筐体１０の外部へ排出しやすくすることができる（図９参照）。なお、電池ケース３０がケース格納部２０に格納された状態において、ケース側壁３２に形成された複数のケース放熱孔３７の少なくとも一部が、第１凹部２２ａ１又は溝部２２ａ２と対向する位置に配置されるので、電池ケース３０の内部から放出された熱を筐体１０の外部へ効率よく排出することができる。
【００８０】
電池ケース３０の一面（図１１上側）を蓋部４０で閉塞する際、まず、弾性部４０ｂが接合される側を電池ケース３０に対向させる。次に、長手方向一側（図１１右側）に形成された係合爪部４１を、電池ケース３０に形成された蓋係止部３０ａに係合させる。最後に、第２螺子部材５２のおねじ部５２ａを、長手方向他側（図１１左側）に形成された蓋挿入孔４２に挿入させつつ、第２固定部３４に内嵌された第２ナット部材３４ａに螺入させる。これにより、蓋部４０を電池ケース３０に着脱自在に装着することができる。よって、蓋部４０は、電池ケース３０に固定されるので、電池ケース３０がケース格納部２０に装着された状態のまま、蓋部４０のみを着脱することができる。
【００８１】
蓋部４０は、上述のように、電池ケース３０の一面を閉塞した状態において、弾性部４０ｂと電池２とが互いに当接される厚みに設定されている。よって、電池ケース３０の一面を蓋部４０で閉塞することにより、弾性部４０ｂが電池２に押し当てられるので、電池２を確実に固定することができる。よって、電池ケース３０に収納される電池２とケース端子板３６との接触不良、短絡および電池２の液漏れが発生することを抑制することができる。
【００８２】
さらに、電池ケース３０の一面を蓋部４０で閉塞することにより、電池室３５の長手方向両側（図１１左側および右側）に配設されるケース端子板３６に、弾性部４０ｂで構成される蓋突起部４３の突端を当接させることができる。このとき、蓋突起部４３を構成する弾性部４０ｂの弾性を利用することで、ケース端子板３６を確実に固定することができる。よって、ケース端子板３６の振動を規制することができ、その結果、ケース端子板３６の振動により発生する騒音を低減させることができる。
【００８３】
上述のように、電池ケース３０がケース格納部２０に格納された状態において、ケース端子孔３８ａ，３８ｂが格納端子孔２５ａ，２５ｂと対向する位置に形成されると共に、第１固定部３３の外底面またはケース突起部３４ｂの外底面からの、凹設部３９（図１０参照）の凹設深さと、格納底板２１の内底面からの、凸設部２４（図１０参照）の凸設高さとの差が、格納底板２１の内底面からの、屈曲板２６ａ１，２６ｂ１の屈曲突端の突出高さよりも小さく形成されている。即ち、屈曲板２６ａ１，２６ｂ１の屈曲突端の突出高さは、電池ケース３０がケース格納部２０に格納された状態において、格納底板２１の内底面とケース底板３１の外底面との間に形成される隙間Ｓ２の高さ寸法よりも大きく形成されている。
【００８４】
よって、電池ケース３０がケース格納部２０に格納されると、ケース底板３１の外底面に固定される接続ケース端子板３６ａ，３６ｂが、屈曲板２６ａ１，２６ｂ１と接触する。よって、電池ケース３０をケース格納部２０に格納すると同時に、電池２とスピーカー内蔵アンプ１内部の電気回路とが電気的に接続されるので、格納端子板２６ａ，２６ｂと接続ケース端子板３６ａ，３６ｂとをコネクタで接続する等の作業を不要とすることができる。その結果、電池２でアンプ内蔵スピーカー１を駆動させている最中に電池交換をする必要がある場合でも、アンプ内蔵スピーカー１の電源が切れている時間を短縮することができる。
【００８５】
また、屈曲板２６ａ１，２６ｂ１の一側（図１１右側）が自由端であると共に屈曲板２６ａ１，２６ｂ１の他側（図１１左側）が格納底板２１の外底面に固定される固定板２６ａ２，２６ｂ２に連設されている。このため、電池ケース３０がケース格納部２０に格納されると、屈曲板２６ａ１，２６ｂ１の屈曲突端は、接続ケース端子板３６ａ，３６ｂに押し下げられると共に屈曲板２６ａ１，２６ｂ１の自由端側（図１１右側）へ弾性変形し、屈曲板２６ａ１，２６ｂ１が格納端子孔２５ａ，２５ｂの内壁面に当接される。よって、電池ケース３０をケース格納部２０に格納すると同時に、格納端子板２６ａ，２６ｂを固定することができるので、格納端子板２６ａ，２６ｂの振動を規制することができ、その結果、格納端子板２６ａ，２６ｂの振動により発生する騒音を低減させることができる。
【００８６】
さらに、格納端子板２６ａ，２６ｂが閉塞部材２７に貫設されているので、格納端子板２６ａ，２６ｂの振動を閉塞部材２７により減衰することができる。よって、格納端子板２６ａ，２６ｂの振動による騒音の発生をより確実に抑制することができる。
【００８７】
また、  また、格納端子孔２５ａ，２５ｂは、スポンジ状の閉塞部材２７により、ケース格納部２０と筐体１０（図１（ｂ）参照）の内部との間で空気が流通することを制限されているので、スピーカーから出力される楽音により筐体１０の内部の空気が格納端子孔２５ａ，２５ｂを通過する際に、異音（笛吹音）が発生することを防止できる。
【００８８】
次に、図１２及び図１３を参照して、第２実施の形態について説明する。第１実施の形態では、凸設部２４及び凹設部３９を２つずつ備えると共に、２つの第１螺子部材５１により電池ケース３０がケース格納部２０に着脱自在に締付固定される場合を説明したが、第２実施の形態では、凸設部２２４及び凹設部２３９を１つずつ備えると共に、電池ケース２３０及び蓋部２４０が１つの第１螺子部材２５１により同時にケース格納部２２０に締付固定されている。なお、上記した第１実施の形態と同一の部分には同一の符号を付して、その説明は省略する。
【００８９】
図１２は、第２実施の形態におけるスピーカー内蔵アンプ２００の電池収納構造の分解斜視図である。図１３（ａ）は、スピーカー内蔵アンプ２００の電池収納構造の上面図であり、図１３（ｂ）は、図１３（ａ）のＸＩＩＩｂ−ＸＩＩＩｂ線におけるスピーカー内蔵アンプ２００の電池収納構造の部分断面図である。なお、図１２では、格納端子板２６ａ，２６ｂ及びケース端子板３６の図示を省略し、図１３では、筐体１０の図示を省略している。
【００９０】
図１２に示すように、スピーカー内蔵アンプ２００は、一面が開口する箱状のケース格納部２２０と、そのケース格納部２２０と同方向に開口側を向けつつケース格納部２２０に格納されると共に一面が開口する箱状の電池ケース２３０と、その電池ケース２３０の一面を閉塞する蓋部２４０と、電池ケース２３０及び蓋部２４０をケース格納部２２０に着脱自在に締付固定する第１螺子部材２５１とを備えている。
【００９１】
ケース格納部２２０は、電池ケース２３０を格納するための部材であり、上述のように、一面（図１２上側）が開口する箱状に形成され、ケース格納部２２０の底を形成する矩形状の格納底板２２１と、その格納底板２２１の縁端に立設される４つの格納側壁２２２とにより構成されている。
【００９２】
格納底板２２１の長手方向（図１２左下および右上方向）両側の縁端に立設される２つの第２格納側壁２２２ｂのうち、格納底板２２１の長手方向一側（図１２左下側）に立設される第２格納側壁２２２ｂは、その一側の第２格納側壁２２２ｂに貫通形成される２つのケース係止部２２２ｂ１を備えている。また、格納底板２２１の長手方向他側（図１２右上側）に立設される第２格納側壁２２２ｂは、その他側の第２格納側壁２２２ｂの外側面から外方（図１２右上側）へ凸設される格納突起部２２２ｂ２を備えている。さらに、格納底板２２１は、各ケース係止部２２２ｂ１の近傍に位置する格納底板２２１の内底面から突出する２つの係止突起２２１ａを備えている。
【００９３】
ケース係止部２２２ｂ１及び係止突起２２１ａは、電池ケース２３０がケース格納部２２０に格納された状態において、後述する係合突起２３３ａが係合される部位である。また、格納突起部２２２ｂ２は、後述する凸設部２２４を立設するための部位である。
【００９４】
電池ケース２３０は、一面（図１２上側）が開口する箱状に形成され、電池ケース２３０の底を形成する矩形状のケース底板２３１と、そのケース底板２３１の幅方向（図１２左上および右下方向）両側の縁端に立設される２つのケース側壁２３２と、ケース底板２３１の長手方向一側（図１２左下側）の縁端に立設される第１固定部２３３と、ケース底板２３１の長手方向他側（図１２右上側）の縁端に連設される第２固定部２３４とにより構成されている。
【００９５】
第１固定部２３３は、電池ケース２３０がケース格納部２２０に格納された状態において、電池ケース２３０の長手方向一側（図１２左下側）で、蓋部２４０を係止しつつ、ケース格納部２２０に係合される部位であり、第１固定部２３３に貫通形成される２つの蓋係止部２３０ａと、第１固定部２３３の外側面から凸設される係合凸部２３３ａとを備えている。
【００９６】
第２固定部２３４は、電池ケース２３０がケース格納部２２０に格納された状態において、電池ケース２３０の長手方向他側（図１２右上側）で、ケース格納部２２０に固定される部位であり、電池ケース２３０の長手方向他側から突出するケース突起部２３４ｂを備えている。
【００９７】
蓋部２４０は、電池ケース２３０に格納された電池２（図１１参照）が、電池ケース２３０から脱落することを防止する板状の部材である。蓋部２４０は、蓋部２４０の長手方向一側（図１２左下側）の端部から外方（図１２右下方向）へ突出する係合爪部２４１と、蓋部２４０の長手方向他側（図１２右上側）の端部から長手方向（図１２右上方向）へ凸設される蓋突出部２４２と、その蓋突出部２４２に穿設されると共に後述する第１螺子部材２５１のおねじ部２５１ａが挿入可能な蓋挿入孔２４２ａとを備えている。
【００９８】
第１螺子部材２５１は、おねじが螺刻された棒状のおねじ部２５１ａと、そのおねじ部２５１ａの一端側に配設される頭部２５１ｂとを備えている。
【００９９】
図１３（ａ）又は図１３（ｂ）に示すように、格納突起部２２２ｂ２は、格納突起部２２２ｂ２の内底面からケース格納部２２０の一面側（図１３（ｂ）上側）へ凸設される中実円錐体形状の凸設部２２４を備えると共に、ケース突起部２３４ｂは、ケース突起部２３４ｂの外底面に、電池ケース２３０の一面側（図１３（ｂ）上側）へ凹設される凹設部２３９を備えている。また、凹設部２３９は、凹設部２３９の凹設基部から電池ケース２３０の一面側（図１２（ａ）上側）にかけて穿設されるケース挿入孔２３９ａを備えている。
【０１００】
蓋係止部２３０ａは、電池ケース２３０の一面を蓋部２４０で閉塞した状態において、係合爪部２４１が係合される部分である。係合凸部２３３ａは、電池ケース２３０がケース格納部２２０に格納された状態において、ケース係止部２２２ｂ１及び係止突起２２１ａに係止される部分である。
【０１０１】
電池ケース２３０及び蓋部２４０をケース格納部２２０に装着するには、まず、電池ケース２３０の長手方向一側（図１３（ｂ）左側）で、第１固定部２３３に形成された係合凸部２３３ａを、ケース格納部２２０の長手方向一側（図１３左側）に貫通形成されたケース係止部２２２ｂ１及び係止突起２２１ａに係合させつつ、電池ケース２３０の長手方向他側（図１３（ｂ）右側）で、ケース突起部２３４ｂに凹設された凹設部２３９を、格納突起部２２２ｂ２に凸設された凸設部２２４に緩挿させる。次に、蓋部２４０の長手方向一側（図１３（ｂ）左側）から突出した係合爪部２４１を、第１固定部２３３に形成された蓋係止部２３０ａに係合させる。最後に、第１螺子部材２５１のおねじ部２５１ａを、蓋部２４０の長手方向他側（図１３（ｂ）右側）に形成された蓋挿入孔２４２及び電池ケース２３０の長手方向他側に形成されたケース挿入孔２３９ａに挿入させつつ、凸設部２２４に内嵌されたナット部材２８に螺入させる。
【０１０２】
このように、１つの第１螺子部材２５１で、電池ケース２３０及び蓋部２４０をケース格納部２２０に締付固定することができるので、電池ケース２３０及び蓋部２４０が２つ以上の第１螺子部材２５１により締付固定される場合と比べ、電池ケース２３０に収納されている電池２（図１１参照）が消耗した際の電池交換を効率よく行うことができる。また、第１螺子部材２５１の部品点数を少なく抑えることができるので、部品コストを削減することができる。
【０１０３】
また、格納底板２２１には、格納底板２２１の内底面から突出する係止突起２２１ａが形成されているので、係合凸部２３３ａをケース係止部２２２ｂ１及び係止突起２２１ａに係合させることにより、格納底板２２１の内底面とケース底板２３１の外底面との間には所定間隔の隙間Ｓ２が形成される。よって、ケース格納部２２０が振動した場合であっても、ケース格納部２２０の振動が、格納底板２２１の内側面からケース底板２３１の外底面へ伝達されることを回避できる。
【０１０４】
なお、ケース格納部２２０の内側面と電池ケース２３０の外側面との間、即ち、格納側壁２２２の内側面とケース側壁２３２、第１固定部２３３、第２固定部２３４及びケース突起部２３４ｂの外側面との間には、所定間隔の隙間Ｓ１が形成されている。また、凸設部２２４の外側面に形成されたリブ２２４ｂ（図１２参照）と凹設部２３９の内側面との間には、所定間隔の隙間Ｓ３が形成されている。
【０１０５】
以上、各実施の形態に基づき本発明を説明したが、本発明は上記各実施の形態に何ら限定されるものではなく、本発明の趣旨を逸脱しない範囲内で種々の改良変形が可能であることは容易に推察できるものである。
【０１０６】
例えば、上記各実施の形態では、本発明の適用対象として、スピーカー内蔵アンプ１，２００を例示したが、必ずしもこれに限られるものではなく、スピーカーが内蔵されたギター等の電子楽器に本発明を適用してもよい。
【０１０７】
上記各実施の形態では、ケース格納部２０，２２０が筐体１０にねじ止めされる場合を説明したが、必ずしもこれに限られるものではなく、ケース格納部２０，２２０が筐体１０に一体に成形されていてもよい。これにより、ケース格納部２０，２２０を筐体１０に装着する作業を不要とすることができる。また、ケース格納部２０，２２０が筐体１０に一体に成形されることにより、ケース格納部２０，２２０の剛性を確保することができるので、筐体１０の共振によるケース格納部２０，２２０の振動を抑制することができる。
【０１０８】
上記各実施の形態では、凸設部２４，２２４が中空または中実の円錐体形状である場合を説明したが、必ずしもこれに限られるものではなく、凸設部２４，２２４が円柱形状または多角柱形状であってもよい。
【０１０９】
上記各実施の形態では、凸設部２４，２２４には、リブ２４ｂ，２２４ｂが周方向に４つ形成されている場合を説明したが、必ずしもこれに限られるものではなく、リブ２４ｂ，２２４ｂを３つ以下または５つ以上備えていてもよい。
【０１１０】
上記各実施の形態では、凸設部２４，２２４が格納底板２１又は格納突起部２２２ｂの内底面から、ケース格納部２０，２２０の一面側へ凸設されると共に、凹設部３９，２３９が第１固定部３３又はケース突起部３４ｂ，２３４ｂの外底面に、電池ケース３０，２３０の一面側へ凹設される場合を説明したが、必ずしもこれに限られるものではなく、凸設部２４，２２４が第１固定部３３又はケース突起部３４ｂ，２３４ｂの外底面から、電池ケース３０，２３０の他面側へ凸設されると共に、凹設部３９，２３９が格納底板２１，２２１の内底面に、ケース格納部２０，２２０の他面側へ凹設されていてもよい。
【０１１１】
また、上記各実施の形態では、第１ナット部材２８が凸設部２４，２２４に内嵌されると共に凹設部３９，２３９がケース挿入孔３９ａ，２３９ａを備え、第１螺子部材５１，２５１のおねじ部５１ａ，２５１ａを、凹設部３９，２３９に穿設されたケース挿入孔３９ａ，２３９ａに挿入させつつ、凸設部２４，２２４に内嵌された第１ナット部材２８に螺入することにより、凸設部２４，２２４と凹設部３９，２３９とが締付固定される場合を説明したが、必ずしもこれに限られるものではなく、第１ナット部材２８が凹設部３９，２３９に配設されると共に凸設部２４，２２４がケース挿入孔３９ａ，２３９ａを備え、第１螺子部材５１，２５１のおねじ部５１ａ，２５１ａを、凸設部２４，２２４に穿設されたケース挿入孔に挿入させつつ、凹設部３９，２３９に配設された第１ナット部材２８に螺入することにより、凸設部２４，２２４と凹設部３９，２３９とが締付固定されてもよい。
【０１１２】
上記各実施の形態では、凸設部２４，２２４と凹設部３９，２３９とが、第１螺子部材５１，２５１により着脱自在に締付固定される場合を説明したが、必ずしもこれに限られるものではなく、凸設部２４，２２４と凹設部３９，２３９とが接合（例えば、接着剤による接着、レーザ加工による溶着等）により固定されていてもよい。これにより、第１螺子部材５１，２５１の締付が緩くなることによる凹設部３９，２３９のガタつきを未然に防ぐことができる。
【０１１３】
上記各実施の形態では、突出部２４ａが、凸設部２４，２２４の凸設先端の先端面側から視て円環状に形成される場合を説明したが、必ずしもこれに限られるものではなく、突出部２４ａの先端面の面積が、凸設部２４，２２４の凸設先端の先端面の面積よりも小さく形成されていればよい。例えば、突出部２４ａが、凸設部２４，２２４の凸設先端の先端面側から視て多角形状に形成されていてもよい。また、突出部２４ａが凸設部２４，２２４の凸設先端から突出する複数の突起により形成されていてもよい。
【０１１４】
上記各実施の形態では、凸設部２４，２２４と凹設部３９，２３９とが固定される際に、突出部２４ａが凹設部３９，２３９の凹設基部に当接される場合を説明したが、必ずしもこれに限られるものではなく、凸設部２４，２２４と凹設部３９，２３９が固定される際に、突出部２４ａと凹設部３９，２３９の凹設基部との間に、ゴム等の弾性体を介在させてもよい。これにより、突出部２４ａと凹設部３９，２３９とをより確実に固定できると共に、突出部２４ａから凹設部３９，２３９へ伝達される振動を減衰させることができる。
【０１１５】
上記各実施の形態では、突出部２４ａが凸設部２４，２２４の凸設先端から凸設部２４，２２４の凸設方向へ突出する場合を説明したが、必ずしもこれに限られるものではなく、突出部２４ａが凹設部３９の凹設基部から凸設部２４，２２４が緩挿される側へ向けて突出していてもよい。
【０１１６】
上記各実施の形態では、電池ケース３０，２３０がケース格納部２０，２２０に格納されると、接続ケース端子板３６ａ，３６ｂが格納端子板２６ａ，２６ｂと接触し、電池ケース３０，２３０に格納される電池２とスピーカー内蔵アンプ１，２００内部の電気回路とが電気的に接続される場合を説明したが、必ずしもこれに限られるものではなく、接続ケース端子板３６ａ，３６ｂに配設されたコネクタと、スピーカー内蔵アンプ１，２００内部の電気回路に配設されたコネクタとを接続することにより、電池ケース３０，２３０に格納される電池２とスピーカー内蔵アンプ１，２００内部の電気回路とが電気的に接続されてもよい。
【０１１７】
上記各実施の形態では、本発明の電池収納構造が１箇所のみに配設される場合を説明したが、必ずしもこれに限られるのものではなく、２箇所以上に配設することは当然可能である。ここで、図１４を参照して、本発明の電池収納構造が２箇所に配設されたスピーカー内蔵アンプ３００について説明する。図１４（ａ）は、変形例におけるスピーカー内蔵アンプ３００の背面斜視図であり、図１４（ｂ）は、スピーカー内蔵アンプ３００の電気的ブロック図である。
【０１１８】
図１４（ａ）に示すように、スピーカー内蔵アンプ３００の裏面側には、本発明の電池収納構造が左右に並設されている。なお、各電池収納構造については、第１実施の形態における電池収納構造（即ち、ケース収納部２０と、電池ケース３０と、蓋部４０とから構成される構造）と同様の構成であるので、その説明は省略する。
【０１１９】
図１４（ｂ）に示すように、スピーカー内蔵アンプ３００は、ＣＰＵ３７１、ＲＯＭ３７２及びＲＡＭ３７３を備え、これらはバスライン３７４を介して入出力ポート３７５に接続されている。また、入出力ポート３７５には、入力装置３７６等の複数の装置が接続されている。
【０１２０】
ＣＰＵ３７１は、バスライン３７４により接続された各部を制御する演算装置である。ＲＯＭ３７２は、ＣＰＵ３７１により実行される制御プログラムや固定値データ等を格納した書き換え不能な不揮発性のメモリであり、ＲＡＭ３７３は、制御プログラムの実行時に各種のデータを書き換え可能に記憶するためのメモリである。
【０１２１】
入力装置３７６は、外部装置から入力される楽音信号を入出力ポート３７５へ出力する装置である。なお、外部装置としては、例えば、マイクやギターなどの音響機器が例示される。電子回路３７７は、楽音信号を増幅するアンプを含む電子回路であり、スピーカー３７８が接続されている。よって、外部装置から入力された楽音信号は、スピーカー３７８から放音される。
【０１２２】
切り替えスイッチ３７９は、電子回路３７７へ供給する直流電圧の供給元（即ち、第１電池２ａから供給するか第２電池２ｂから供給するか）を切り替える装置であり、ＣＰＵ３７１からの命令（切り替え信号）に基づいて、直流電圧の供給元を切り替える。
【０１２３】
Ｄ／Ａコンバータ３８０，３８１は、第１電池２ａ及び第２電池２ｂの電圧値（アナログ値）をデジタルの電圧値に変換するコンバータである。ＣＰＵ３７１は、この電圧値（デジタル値）を測定し、その測定値が所定のしきい値以下であるかを確認することで、供給元を決定し、切り替え信号を切り替えスイッチ３７９へ出力する。
【０１２４】
第１電池２ａは、２箇所に配設された電池収納構造の一方の電池収納構造（電池ケース３０）に収容される乾電池であり、第２電池２ｂは、他方の電池収納構造（電池ケース３０）に収容される乾電池である。なお、本実施の形態では、これら第１電池２ａ及び第２電池２ｂの初期電圧が１２Ｖであり、上述した所定のしきい値が８Ｖとされている。
【０１２５】
表示器３８２は、第１電池２ａと第２電池２ｂとの電圧の切り替え状態を表示するものである。この表示器３８２は、例えば、次のように構成する。即ち、赤と緑との２色発光ＬＥＤをそれぞれの電池に対応して設け、電池電圧が十分な電圧である場合には緑のみを点灯し（第１態様）、電池電圧が１０Ｖまで低下した場合には赤のみの点灯（第２態様）へと表示を切り替える。そして、電圧９Ｖを下回った場合には赤のみの点滅（第３態様）へと表示を切り替える。また、切り替えられていない電池（使われていない電池）については、第１態様、第２態様または第３態様のいずれか一の態様と、その切り替えられていない電池に対応する２色発光ＬＥＤの赤および緑を同時発光（橙に発光）させる第４態様とを、所定時間ごとに交互に表示する。なお、この場合には、使われていない電池の電池電圧に応じて、第１態様、第２態様または第３態様のいずれか一を表示する。このように、所定時間ごとに第４態様が表示されることで、第１電池２ａと第２電池２ｂとのいずれが使われていない電池であるかを判別することができ、所定時間ごとに第１態様、第２態様または第３態様のいずれかが表示されることで、その使われていない電池の電圧を把握することができる。
【０１２６】
このように構成されたスピーカー内蔵アンプ３００によれば、ＣＰＵ３７１は、電子回路３７７への電圧供給を行っている電池（図１４（ｂ）に示す状態においては第２電池２ｂ）の電圧値を測定し、その電圧値が所定のしきい値（８Ｖ）以下であるかを確認する。その結果、電圧値が所定のしきい値以下であれば、供給元を切り替えるための切り替え信号を切り替えスイッチ３７９へ出力する。これにより、電子回路３７７へ直流電圧を供給する供給元が切り替わる（即ち、第２電池２ｂから第１電池２ａに切り替わる）ので、楽音の放音を継続しつつ、電圧が降下した電池（電池ケース３０）を交換することができる。
【符号の説明】
【０１２７】
１，２００，３００          スピーカー内蔵アンプ（音響機器）
２                          電池
２ａ                        第１電池（電池）
２ｂ                        第２電池（電池）
１０                        筐体
２０，２２０                ケース格納部
２２１ａ                    係止突起（連結部）
２４，２２４                凸設部
２４ａ                      突出部
２４ｂ，２２４ｂ            リブ
２５ａ，２５ｂ              格納端子孔（端子孔）
２６ａ，２６ｂ              格納端子板（第２端子）
２７                        閉塞部材
３０，２３０                電池ケース
３１，２３１                ケース底板（底板）
３２，２３２                ケース側壁（側壁の一部）
３３，２３３                第１固定部（側壁の一部）
３４，２３４                第２固定部（側壁の一部）
３６                        ケース端子板（第１端子）
３６ａ，３６ｂ              接続ケース端子板（第１端子）
３７                        ケース放熱孔（放熱孔）
３９，２３９                凹設部
４０，２４０                蓋部
４０ａ                      本体部
４０ｂ                      弾性部
４３                        蓋突起部
５１，２５１                第１螺子部材（螺子）
３７８                      スピーカー
Ｓ１，Ｓ２，Ｓ３            隙間
【図１】
0005438452.tif 000002
【図２】
0005438452.tif 000003
【図３】
0005438452.tif 000004
【図４】
0005438452.tif 000005
【図５】
0005438452.tif 000006
【図６】
0005438452.tif 000007
【図７】
0005438452.tif 000008
【図８】
0005438452.tif 000009
【図９】
0005438452.tif 000010
【図１０】
0005438452.tif 000011
【図１１】
0005438452.tif 000012
【図１２】
0005438452.tif 000013
【図１３】
0005438452.tif 000014
【図１４】
0005438452.tif 000015